(57)【特許請求の範囲】
【請求項１】
透明な平板と、該平板の裏面から突出し、先端が遊技台の盤面に当接可能な複数の支持脚と、前記平板の表面に対して基準面が平行となるように設置され、該基準面の傾斜角を測定する傾斜器とを備えており、
前記複数の支持脚の各々は前記平板を挟んで磁気的に互いに引き合うことによって位置固定される保持部と脚部とから構成されており、前記複数の支持脚の前記脚部は前記平板の裏面からの突出長さが互いに等しくなるように構成されていることを特徴とする遊技台盤面の傾斜度測定装置。
【請求項２】
前記傾斜器を前記平板に沿って左右に平行移動可能なスライド機構をさらに備えたことを特徴とする請求項１に記載の遊技台盤面の傾斜度測定装置。
【請求項３】
一端部が前記平板の裏面に固着されていると共に、他端部が島の枠体と遊技台との間に挿入されて固定可能であり、前記平板を前記遊技台の盤面方向に付勢して固定する取り付け部材をさらに備えたことを特徴とする請求項１又は２に記載の遊技台盤面の傾斜度測定装置。
【請求項４】
前記平板の中央部に開口が設けられていることを特徴とする請求項１から３のいずれか１項に記載の遊技台盤面の傾斜度測定装置。
【発明の詳細な説明】
【技術分野】
【０００１】
本発明は、パチンコ台等の遊技台の盤面の傾斜度を測定するための遊技台盤面の傾斜度測定装置に関する。
【背景技術】
【０００２】
パチンコ遊技機等の遊技機において遊技台の盤面の傾斜角度は出玉率を左右する重要な要素である。そのため、遊技機の設置に際しては、遊技台の盤面の傾斜が適切な傾斜（通常、遊技台の盤面の上端側が下端側に対して後方に僅かに傾く角度）になるように、遊技台の盤面の傾斜を測定しながら遊技機を設置する必要がある。遊技機で遊技を楽しむためには、遊技機の遊技台の盤面がメーカ指定の適正な傾斜角に調整されていることは重要である。
【０００３】
遊技台の盤面の傾斜度を傾斜計で測ろうとする場合、遊技台の盤面に設けられている様々な遊技部材が突起した障害となるため、傾斜計を遊技台の盤面に直接当接することができない。
【０００４】
このため、遊技台の盤面上に脚部を当接させて、正確な傾斜角度を測定するようにした遊技機用傾斜角度検出装置が提案されている（特許文献１）。
【０００５】
この特許文献１に記載の遊技機用傾斜角度検出装置は、遊技台の盤面の傾斜角度を検出して信号を出力する傾斜センサと、傾斜センサの水平角度を検出して信号を出力する水平センサと、傾斜センサ及び水平センサを収納する筐体と、筐体の一の面に設けられた、棒状の三つの脚部と、筐体の所定の面に設けられた、傾斜センサが略水平状態にある旨を表示する水平表示部と、取付治具とを備え、取付治具は、ベルトと、ベルトの各端部に設けられた、遊技台の盤面上の釘に装着するための装着手段とを有する。各装着手段を釘に装着すると共にベルトで筐体を押圧することにより、三つの脚部を遊技台の盤面に当接させた状態で筐体を遊技台の盤面上に取り付けるように構成されている。
【先行技術文献】
【特許文献】
【０００６】
【特許文献１】特開２０１５−１９８１８号公報
【発明の概要】
【発明が解決しようとする課題】
【０００７】
しかしながら、このような従来の遊技機用傾斜角度検出装置は、傾斜角度を測定する際に、ベルトの端部に設けられた装着手段を遊技台の盤面にある釘に装着するように構成されているため、装置の重さ及び装着作業により、これらの釘が傾斜したり、曲がってしまう恐れがあった。
【０００８】
また、棒状の三つの脚部の位置が固定されているため、遊技台の盤面の遊技部材の位置によっては脚部を盤面に当接できず、装置を全く設置できない場合があるという問題点があった。
【０００９】
従って本発明の目的は、傾斜器が遊技台の釘に接触することなしに盤面の任意の位置において傾斜度を測定できる遊技台盤面の傾斜度測定装置を提供することにある。
【００１０】
また、本発明の他の目的は、遊技台の盤面の遊技部材を回避するために、支持脚の位置を容易に移動できる遊技台盤面の傾斜度測定装置を提供することにある。
【課題を解決するための手段】
【００１１】
本発明によれば、透明な平板と、平板の裏面から突出し、先端が遊技台の盤面に当接可能な複数の支持脚と、平板の表面に対して基準面が平行となるように設置され、この基準面の傾斜角を測定する傾斜器とを備えており、複数の支持脚の各々は平板を挟んで磁気的に互いに引き合うことによって位置固定される保持部と脚部とから構成されており、複数の支持脚の脚部は平板の裏面からの突出長さが互いに等しくなるように構成されている。
【００１２】
突出長さが互いに等しい複数の支持脚が、平板の裏面から突出し平板を挟んで磁気的に互いに引き合うことによって位置固定される。これにより、平板と遊技台の盤面とを平行して設置でき、この平板の表面と基準面が平行となるように設置した傾斜器によって正確な傾斜角測定を行うことができる。また、平板前面の保持部を操作することで支持脚の位置を平板に沿って容易に移動することができるので、遊技台の盤面の釘等の遊技部材を回避することができる。しかも、平板が透明であることから、支持脚が遊技部材に当たらないように、平板前面側から確実に操作することができる。
【００１３】
傾斜器を平板に沿って左右に平行移動可能なスライド機構をさらに備えたことが好ましい。これにより、遊技台の盤面に対して左右に移動し各位置において測定を行うことができる。
【００１４】
一端部が平板の裏面に固着されていると共に、他端部が島の枠体と遊技台との間に挿入されて固定可能であり、平板を遊技台の盤面方向に付勢して固定する取り付け部材をさらに備えたことが好ましい。これにより、平板を遊技台の盤面に容易に固定することができる。従来のように釘に装着することで、釘が傾斜したり、曲がってしまう恐れがなくなる。
【００１５】
平板の中央部に開口が設けられていることが好ましい。これにより、平板がゆがみやすくなるので、遊技台の盤面と一致し、正確な測定を行うことができる。
【発明の効果】
【００１６】
本発明によれば、遊技台盤面の傾斜度測定装置は、平板と遊技台の盤面とを平行して設置できるので、正確な傾斜角測定を行うことができる。また、平板前面から支持脚の位置をこの平板に沿って容易に移動することができるので、遊技台の盤面の釘等の遊技部材を回避することができる。しかも、支持脚が遊技部材に当たらないように、透明な平板の前面側から確実に操作することができる。
【図面の簡単な説明】
【００１７】
【図１】本発明の一実施形態における遊技台盤面の傾斜度測定装置の構成を概略的に示す斜視図である。
【図２】図１の実施形態における遊技台盤面の傾斜度測定装置の構成を概略的に示す側面図である。
【図３】図１の実施形態における遊技台盤面の傾斜度測定装置の構成を概略的に示す斜め後方から見た斜視図である。
【図４】図１の実施形態における遊技台盤面の傾斜度測定装置の使用例を概略的に示す斜視図である。
【図５】図４の使用例の平面図である。
【図６】図４の使用例の側面図である。
【発明を実施するための形態】
【００１８】
以下、本発明に係る遊技台盤面の傾斜度測定装置を実施するための形態を図面に基づいて説明する。
【００１９】
図１は本発明の一実施形態における遊技台盤面の傾斜度測定装置１００の全体構成を示しており、図２は遊技台盤面の傾斜度測定装置１００を側面から見た状態を示しており、図３は遊技台盤面の傾斜度測定装置１００を斜め後方から見た状態を示している。
【００２０】
図１〜図３に示すように、本実施形態における遊技台盤面の傾斜度測定装置１００は、平板１０と、複数の支持脚２０と、スライド機構３０と、取り付け部材４０と、傾斜器５０とを主に備えている。
【００２１】
平板１０は、例えば、遊技台の盤面とほぼ同様な大きさの、透明な樹脂製平板である。この平板１０の中央部に矩形の開口１１が設けられている。また、平板１０の上端に取り付け部材４０が装着されている。
【００２２】
複数の支持脚２０の各々は、平板１０を挟んで磁気的に互いに引き合うことによって位置固定される保持部２１と脚部２２とから構成されている。例えば、保持部２１は、円板形の磁石から構成されている。また、脚部２２は、磁気吸着可能な金属製円板形端部と、この円板形端部の円板面から垂直方向に伸長する柱状部とから構成されている。複数の支持脚２０は、平板１０の裏面からの突出長さ、即ち脚部２２の長さが互いに等しくなるように構成されている。
【００２３】
スライド機構３０は、平板１０の表面上に水平方向（左右方向）に沿って設置されている１対のレール３１ａ及び３１ｂと、これら１対のレール３１ａ及び３１ｂに係合すると共に、これらレール３１ａ及び３１ｂに沿って自在に移動可能な１対のスライド部材３２ａ及び３２ｂと、これら１対のスライド部材３２ａ及び３２ｂの前面に装着され垂直方向（上下方向）に伸長する傾斜器固定レール３３とを備えている。この傾斜器固定レール３３は、平板１０と平行となるように装着されている。傾斜器固定レール３３の前面には、傾斜度を測定する傾斜器３０が嵌入される縦方向の装着溝３３ａが設けられている。傾斜器５０はこの装着溝３３ａに沿って移動可能となっており、これにより装着位置を調整することができる。
【００２４】
取り付け部材４０は、その一端部が平板１０の裏面に固着されていると共に、図２に示すように他端部が島の枠体Ｆと遊技台の台枠Ｂとの間に挿入されて固定可能であり、これによって平板１０を遊技台の盤面方向に付勢して固定するように構成されている。本実施形態において、取り付け部材４０は、板バネ４１と、挿入板４２と、１対の固定金具４３とを備えている。板バネ４１と挿入板４２とは、蝶番４４を介して互いに連結されている。また、挿入板４２には、蝶番４４を装着するための水平方向の枠体４５が取り付けられている。固定金具４３はその回動軸に対してＬ字状に曲げられたレバー部４３ａと、回動軸に対して先端部が湾曲している湾曲部４３ｂとを有する金属棒状体から形成されている。この固定金具４３は、湾曲部４３ｂの基部を回動軸として回動可能に枠体４５の下部に挿通して装着されている。枠体４５の前面に位置するレバー部４３ａを回動軸が回転するように倒すと、湾曲部４３ｂが回動しその先端が島の枠体Ｆに当接すると共に、挿入板４２を遊技台の台枠Ｂに押し付けるように構成されており、これによって、傾斜度測定装置１００が固定され、板バネ４１により平板１０が遊技台の盤面方向に付勢される。なお、枠体４５の前面に取っ手４６が設けられている。これにより、傾斜度測定装置１００の装着及び取り外しが容易にでき、また、蝶番４４を設けることで、折り畳みが可能であり、コンパクトに収納することができる。
【００２５】
傾斜器５０は、その基準面の傾斜角を測定するためのものである。例えば、図１〜図３に示すように、１つの気泡管を備えた水準器５０Ａを用いて気泡又は指針の位置を目盛で読み取ることにより台の傾きを測定するものであっても良いし、図４〜図６に示すように、少しずつ角度をずらした複数の気泡管を備えた水準器５０Ｂを用いて、所望の気泡管の気泡位置を合わせることにより台の傾きを測定するものであっても良い。
【００２６】
図４は本実施形態に係る遊技台盤面の傾斜度測定装置１００を用いて遊技台の盤面の傾斜度を測定する際の状態を示しており、図５は遊技台盤面の傾斜度測定装置１００を用いて遊技台の盤面の傾斜度を測定する際の正面から見た状態を示しており、図６は遊技台盤面の傾斜度測定装置１００を用いて遊技台の盤面の傾斜度を測定する際の側面から見た状態を示している。ただし、図５においては、取り付け部材４０が省略されている。なお、図４〜図６の使用例においては、傾斜器５０として、水準器５０Ａに代えて水準器５０Ｂを用いている。
【００２７】
図４〜図６に示すように、遊技台盤面の傾斜度測定装置１００を用いて遊技台の盤面の傾斜度を測定する場合は、取り付け部材４０の挿入板４２を島の枠体Ｆと遊技台の台枠Ｂとの間に挿入させ、枠体４５の前面に位置する１対の固定金具４３のレバー部４３ａをそれぞれ両側へ倒して回動軸を回動させると、固定金具４３の湾曲部４３ｂが回動しその先端が島の枠体Ｆに当接すると共に、挿入板４２が遊技台の台枠Ｂに押し付けられ、これによって遊技台盤面の傾斜度測定装置１００が固定される。また、平板１０の前面の保持部２１を操作することで支持脚２０の位置を平板１０に沿って容易に移動させることができるので、遊技台の盤面の釘を避けて適切な位置に支持脚２０を移動して平板１０を盤面と平行に支持することができる。また、測定する際に、スライド機構３０を用いて傾斜器５０（水準器５０Ａ又は５０Ｂ）を水平方向に移動し、測定位置を変えることができる。
【００２８】
以上説明したように、本実施形態によれば、遊技台盤面の傾斜度測定装置１００は、平板１０と、複数の支持脚２０と、スライド機構３０と、取り付け部材４０と、傾斜器５０とを備えており、複数の支持脚２０の各々は平板１０を挟んで磁気的に互いに引き合うことによって位置固定される保持部２１と脚部２２とから構成されており、脚部２２は平板１０の裏面からの突出長さが互いに等しくなるように構成されている。
【００２９】
これにより、平板１０と遊技台の盤面とを平行して設置でき、盤面の傾斜度を正確に測定することができる。また、平板１０の前面の保持部２１を操作することで支持脚２０の位置を平板１０に沿って容易に移動することができ、遊技台の盤面の釘等の遊技部材（突起部）を回避することができる。
【００３０】
また、傾斜器３０を平板１０に沿って左右に平行移動可能なスライド機構３０を備えていることで、遊技台の盤面の位置において傾斜度測定を容易にかつ精確に行うことができる。
【００３１】
また、一端部が平板１０の裏面に固着されていると共に、他端部が島の枠体Ｆと遊技台の台枠Ｂとの間に挿入されて固定可能であり、これによって平板１０を遊技台の盤面方向に付勢して固定する取り付け部材４０を備えていることで、平板１０を遊技台の盤面に容易に固定することができる。従って、従来のように傾斜度測定装置を釘に装着することで、釘が傾斜したり、曲がってしまう恐れがなくなる。
【００３２】
さらに、平板１０の中央部に開口１１が設けられていることで、平板１０が歪み易くなるので、遊技台の盤面の歪みに追随させることができ、正確な測定を行うことができる。
【００３３】
なお、上述した実施形態において、スライド機構３０は、１対のレール３１ａ及び３１ｂと、１対のスライド部材３２ａ及び３２ｂと、連結部材３３とから構成されている例を説明したが、本発明はこれに限定されるものではない。他の構成のスライド機構を用いても良い。
【００３４】
また、上述した実施形態において、取り付け部材４０は、板バネ４１と、挿入板４２と、１対の固定金具４３とを備え、板バネ４１と挿入板４２とは、蝶番４４を介して互いに連結されている例を説明したが、本発明はこれに限定されるものではない。
【００３５】
以上述べた実施形態は本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００３６】
本発明に係る遊技台盤面の傾斜度測定装置は、遊技機の設置、調整において、遊技機の盤面の傾斜角度を検出する目的に利用することが可能である。
【符号の説明】
【００３７】
１０  平板
１１  開口
２０  支持脚
２１  保持部
２２  脚部
３０  スライド機構
３１ａ、３１ｂ  レール
３２ａ、３２ｂ  スライド部材
３３  傾斜器固定レール
３３ａ  装着溝
４０  取り付け部材
４１  板バネ
４２  挿入板
４３  固定金具
４３ａ  レバー部
４３ｂ  湾曲部
４４  蝶番
４５  枠体
４６  取っ手
５０（５０Ａ、５０Ｂ）  傾斜器（水準器）
１００  遊技台盤面の傾斜度測定装置
Ｂ  台枠
Ｆ  島の枠体
Ｎ  釘
【図１】
0006550327.tif 000002
【図２】
0006550327.tif 000003
【図３】
0006550327.tif 000004
【図４】
0006550327.tif 000005
【図５】
0006550327.tif 000006
【図６】
0006550327.tif 000007